(57)【要約】【課題】  ユーザがＡＶアンプの取扱説明書を見ることなく、リモコン送信機にＴＶ受像機のメーカー番号を登録することができるリモコン信号送受信システムを提供すること。【解決手段】  ＡＶアンプ２０は、ＴＶ受像機４０のベンダーＩＤとメーカー番号とを関連付けて記憶しており、ユーザ操作によってメーカー番号表示指示が入力されると、ＴＶ受像機４０からＨＤＭＩのＣＥＣラインを介してベンダーＩＤを取得する。ＡＶアンプ２０は、取得したベンダーＩＤに関連付けられたＴＶ受像機４０のメーカー番号を特定し、表示部２９に表示させる。ユーザは、表示部２９に表示されたメーカー番号を見て、リモコン送信機５０にＴＶ受像機４０のメーカー番号を登録することができる。【選択図】図４
2010268442.tif 000002
【特許請求の範囲】
【請求項１】
第１の電子機器と、前記第１の電子機器および第２の電子機器を遠隔制御するリモコン送信機とを備えるリモコン信号送受信システムであって、
前記第１の電子機器が、前記第２の電子機器の第１識別情報と第２識別情報とを関連付けて記憶する識別情報記憶手段と、
前記第２の電子機器から前記第２の電子機器の前記第１識別情報を取得する取得手段と、
取得した前記第１識別情報に関連付けられた前記第２識別情報を表示装置に表示させる表示制御手段とを有し、
前記リモコン送信機が、前記第２の電子機器の前記第２識別情報と、前記第２の電子機器用のリモコンコードとを関連付けて記憶するリモコンコード記憶手段と、
複数の前記第２識別情報の中から選択された前記第２識別情報を登録する登録手段と、
ユーザ操作に応じて、前記登録手段によって登録されている前記第２識別情報に関連付けられたリモコンコードを出力する出力手段とを有する、リモコン信号送受信システム。
【請求項２】
前記識別情報記憶手段が、同一の前記第１識別情報に関連付けて異なる複数の前記第２識別情報を記憶し、
前記表示制御手段が、取得した前記第１識別情報に関連付けられた複数の前記第２識別情報を前記表示装置に表示させる、請求項１に記載のリモコン信号送受信システム。
【請求項３】
第１の電子機器と、前記第１の電子機器および第２の電子機器を遠隔制御するリモコン送信機とを備えるリモコン信号送受信システムであって、
前記第１の電子機器が、前記第２の電子機器の第１識別情報と第２識別情報とを関連付けて記憶する識別情報記憶手段と、
前記第２の電子機器から前記第２の電子機器の前記第１識別情報を取得する取得手段と、
取得した前記第１識別情報に関連付けられた前記第２識別情報を前記リモコン送信機に送信する送信手段とを有し、
前記リモコン送信機が、前記第２の電子機器の前記第２識別情報と、前記第２の電子機器用のリモコンコードとを関連付けて記憶するリモコンコード記憶手段と、
前記送信手段から送信された前記第２識別情報を受信する受信手段と、
複数の前記第２識別情報の中から、前記受信手段によって受信された前記第２識別情報を登録する登録手段と、
ユーザ操作に応じて、前記登録手段によって登録されている前記第２識別情報に関連付けられたリモコンコードを出力する出力手段とを有する、リモコン信号送受信システム。
【請求項４】
前記識別情報記憶手段が、同一の前記第１識別情報に関連付けて異なる複数の前記第２識別情報を記憶し、
前記送信手段が、取得した前記第１識別情報に関連付けられた複数の前記第２識別情報のうち、ユーザ操作によって選択された１つの前記第２識別情報を前記リモコン送信機に送信する、請求項３に記載のリモコン信号送受信システム。
【請求項５】
前記送信手段が、取得した前記第１識別情報に関連付けられた前記第２識別情報と、製品種別とを前記リモコン送信機に送信し、
前記登録手段が、複数の前記第２識別情報の中から、前記受信手段によって受信された前記第２識別情報を、前記受信手段によって受信された製品種別に対する前記第２識別情報として登録する、請求項３または４に記載のリモコン信号送受信システム。
【請求項６】
前記第１識別情報がベンダーＩＤであり、前記第２識別情報がメーカー番号である、請求項１〜５のいずれかに記載のリモコン信号送受信システム。
【請求項７】
請求項１〜６のいずれかに記載のリモコン送受信システムに適用される前記第１の電子機器。
【請求項８】
請求項１〜６のいずれかに記載のリモコン送受信システムに適用される前記リモコン送信機。
【発明の詳細な説明】
【技術分野】
【０００１】
本発明は、第１の電子機器と、第１の電子機器および第２の電子機器を遠隔制御するリモコン送信機とを備えるリモコン信号送受信システムに関する。
【背景技術】
【０００２】
ＡＶアンプ（第１の電子機器）は、ＨＤＭＩケーブルを介して、ＤＶＤプレーヤ（第２の電子機器）及びＴＶ受像機（第２の電子機器）が接続可能である。ＡＶアンプは、ＤＶＤプレーヤから画像データ及び音声データを受信し、音声データを増幅してスピーカーに出力し、映像データをＴＶ受像機に送信する。ＡＶアンプはリモコン送信機を備えており、ユーザは、リモコン送信機を使ってＡＶアンプを操作することができる。リモコン送信機は、ＡＶアンプ以外にもＴＶ受像機やＤＶＤプレーヤを操作することができる。つまり、ユーザがＴＶ受像機及びＤＶＤプレーヤのメーカー番号をリモコン送信機に入力して登録することによって、リモコン送信機は、ＡＶアンプのメーカーと異なるメーカーのＴＶ受像機やＤＶＤプレーヤであっても、対応するリモコンコードを出力して、これらの機器を制御することができる。従来においては、ＡＶアンプの取扱説明書にＴＶ受像機やＤＶＤプレーヤのメーカー番号が記載されており、ユーザは、取扱説明書を見て、該当するＴＶ受像機やＤＶＤプレーヤのメーカー番号を確認し、ＡＶアンプのリモコン送信機にメーカー番号を登録する必要があり、その操作が非常に煩雑である。例えば、ＴＶ受像機を他のメーカーのものに買い替えた場合には、ＡＶアンプのリモコン送信機に再度メーカー番号を登録し直す必要があるので、その都度ＡＶアンプの取扱説明書を見る必要がある。
【０００３】
この問題を解決するために、下記特許文献２には以下の技術を記載する。ＤＶＤプレーヤにＨＤＭＩケーブルを介してテレビジョン受像機が接続されると、ＨＤＭＩ認証が行われ、ＥＤＩＤデータがテレビジョン受像機から取得され、テレビジョン受像機のメーカー名が判別される。メーカー名が例えばＡ社であると判別された場合には、メーカー名とリモコンコードとの対応関係を示すテーブルが参照され、判別されたメーカー名Ａ社に対応するリモコンコードが選択される。Ａ社のリモコンコードの選択が行われた後、選択されたリモコンコードが送信される。リモコン装置では、複数の操作キーに予め割り当てされた操作キー番号に対応させて、ＤＶＤプレーヤから受信したメーカー名Ａ社に対応するリモコンコードがメモリに記憶される。
【０００４】
しかし、特許文献２に記載の技術によると、リモコンの操作キーが多い等の理由により、操作キーに割り当てるべきリモコンコードが多い場合には、非常に長い時間、ＤＶＤプレーヤからリモコン装置にリモコンコードを送信する必要がある。従って、ユーザは、リモコン装置のリモコン受信部を非常に長い間ＤＶＤプレーヤに向けておく必要があり、その操作が非常に煩雑である。
【先行技術文献】
【特許文献】
【０００５】
【特許文献１】特開２００４−２０８２９０号
【特許文献２】特許第４１８７０３７号
【特許文献３】特開２００３−６１１６６号
【特許文献４】特開２００２―２５２８８７号
【発明の概要】
【発明が解決しようとする課題】
【０００６】
本発明は上記従来の課題を解決するためになされたものであり、その目的は、煩雑な操作を要することなく、リモコン送信機に第２の電子機器のメーカー番号を登録することができるリモコン信号送受信システムを提供することである。
【課題を解決するための手段】
【０００７】
本発明の好ましい実施形態によるリモコン信号送受信システムは、第１の電子機器と、前記第１の電子機器および第２の電子機器を遠隔制御するリモコン送信機とを備えるリモコン信号送受信システムであって、前記第１の電子機器が、前記第２の電子機器の第１識別情報と第２識別情報とを関連付けて記憶する識別情報記憶手段と、前記第２の電子機器から前記第２の電子機器の前記第１識別情報を取得する取得手段と、取得した前記第１識別情報に関連付けられた前記第２識別情報を表示装置に表示させる表示制御手段とを有し、前記リモコン送信機が、前記第２の電子機器の前記第２識別情報と、前記第２の電子機器用のリモコンコードとを関連付けて記憶するリモコンコード記憶手段と、複数の前記第２識別情報の中から選択された前記第２識別情報を登録する登録手段と、ユーザ操作に応じて、前記登録手段によって登録されている前記第２識別情報に関連付けられたリモコンコードを出力する出力手段とを有する。
【０００８】
第２の電子機器の第２識別情報が表示装置に表示されるので、ユーザは、表示装置に表示された第２識別情報を確認して、リモコン送信機に第２識別情報を入力して登録することができる。従って、ユーザは、第１の電子機器の取扱説明書を見て第２の電子機器の第２識別情報を確認する必要がない。
【０００９】
好ましい実施形態においては、前記識別情報記憶手段が、同一の前記第１識別情報に関連付けて異なる複数の前記第２識別情報を記憶し、前記表示制御手段が、取得した前記第１識別情報に関連付けられた複数の前記第２識別情報を前記表示装置に表示させる。
【００１０】
この場合、１つの第１識別情報に対して複数の第２識別情報が存在する場合に、ユーザは、複数の第２識別情報の中から所望の第２識別情報を選択し、リモコン送信機に入力して登録することができる。
【００１１】
本発明の別の好ましい実施形態によるリモコン信号送受信システムは、第１の電子機器と、前記第１の電子機器および第２の電子機器を遠隔制御するリモコン送信機とを備えるリモコン信号送受信システムであって、前記第１の電子機器が、前記第２の電子機器の第１識別情報と第２識別情報とを関連付けて記憶する識別情報記憶手段と、前記第２の電子機器から前記第２の電子機器の前記第１識別情報を取得する取得手段と、取得した前記第１識別情報に関連付けられた前記第２識別情報を前記リモコン送信機に送信する送信手段とを有し、前記リモコン送信機が、前記第２の電子機器の前記第２識別情報と、前記第２の電子機器用のリモコンコードとを関連付けて記憶するリモコンコード記憶手段と、前記送信手段から送信された前記第２識別情報を受信する受信手段と、複数の前記第２識別情報の中から、前記受信手段によって受信された前記第２識別情報を登録する登録手段と、ユーザ操作に応じて、前記登録手段によって登録されている前記第２識別情報に関連付けられたリモコンコードを出力する出力手段とを有する。
【００１２】
第２の電子機器の第２識別情報がリモコン送信機に送信され、リモコン送信機は受信した第２識別情報を自動的に登録するので、ユーザは、第１電子機器の取扱説明書を見て第２の電子機器の第２識別情報を確認する必要がなく、第２識別情報をリモコン送信機に入力する必要もない。また、ユーザが、間違った第２識別情報をリモコン送信機に入力することもないので、リモコン送信機によって第２の電子機器を操作できなくなるという問題も防止できる。また、上記特許文献２のようにリモコンコード自体を第１の電子機器からリモコン送信機に送信するのではなく、第２識別情報を第１の電子機器からリモコン送信機に送信するので、直ぐに送信が完了する。従って、ユーザは、リモコン送信機を非常に長い間第１の電子機器に向けておく必要がない。
【００１３】
好ましい実施形態においては、前記識別情報記憶手段が、同一の前記第１識別情報に関連付けて異なる複数の前記第２識別情報を記憶し、前記送信手段が、取得した前記第１識別情報に関連付けられた複数の前記第２識別情報のうち、ユーザ操作によって選択された１つの前記第２識別情報を前記リモコン送信機に送信する。
【００１４】
この場合、１つの第１識別情報に対して複数の第２識別情報が存在する場合に、ユーザは、複数の第２識別情報の中から所望の第２識別情報を選択し、リモコン送信機に登録することができる。
【００１５】
好ましい実施形態においては、前記送信手段が、取得した前記第１識別情報に関連付けられた前記第２識別情報と、製品種別とを前記リモコン送信機に送信し、前記登録手段が、複数の前記第２識別情報の中から、前記受信手段によって受信された前記第２識別情報を、前記受信手段によって受信された製品種別に対する前記第２識別情報として登録する。
【００１６】
この場合、リモコン送信機が、複数の製品種別（特に限定されないが、例えば、ＴＶ、ＤＶＤ等）の第２の電子機器のリモコンコードを記憶しており、複数の第２の電子機器を遠隔制御できる場合に、取得した第１識別情報に関連付けられた第２識別情報を、ユーザ操作によって選択された製品種別に対する第２識別情報として、登録することができる。
【００１７】
好ましい実施形態においては、前記第１識別情報がベンダーＩＤであり、前記第２識別情報がメーカー番号である。
【発明の効果】
【００１８】
ユーザが第１の電子機器の取扱説明書を見ることなく、リモコン送信機に第２の電子機器のメーカー番号を登録することができる。
【図面の簡単な説明】
【００１９】
【図１】本発明の好ましい実施形態によるＡＶアンプ２０、ＤＶＤプレーヤ１０、ＴＶ受像機４０及びリモコン送信機を示すブロック図である。
【図２】ＴＶ受像機のリモコンコードテーブルを示す図である。
【図３】ＴＶ受像機用メーカー番号テーブルを示す図である。
【図４】ＡＶアンプ２０とＴＶ受像機１０との動作を示すフローチャートである。
【図５】ＡＶアンプ２０の動作を示すフローチャートである。
【図６】ＡＶアンプ２０の動作を示すフローチャートである。
【図７】リモコン送信機５０の動作を示すフローチャートである。
【図８】ＴＶ受像機用メーカー番号テーブルを示す図である。
【図９】ＡＶアンプ２０の動作を示すフローチャートである。
【図１０】メーカー番号登録画面の一例を示す図である。
【発明を実施するための形態】
【００２０】
以下、本発明の好ましい実施形態について、図面を参照して具体的に説明するが、本発明はこれらの実施形態には限定されない。
【００２１】
図１は、ＤＶＤプレーヤ１０（第２の電子機器）、ＡＶアンプ２０（第１の電子機器）、ＴＶ受像機４０（第２の電子機器）、及び、リモコン送信機５０を示すブロック図である。ＡＶアンプ２０には、例えば、ＨＤＭＩケーブルを介してＤＶＤプレーヤ１０及びＴＶ受像機４０が接続されている。ＡＶアンプ２０は、ＤＶＤプレーヤ１０から画像データ及び音声データを受信し、音声データを増幅し、スピーカー６０に出力する。ＡＶアンプ２０は、画像データをＴＶ受像機４０に送信し、画像を表示させる。ＡＶアンプ２０にはリモコン送信機５０が付属されており、リモコン送信機５０から送信されるリモコン信号（リモコンコード）によって、ＡＶアンプ２０、ＤＶＤプレーヤ１０及びＴＶ受像機４０は制御される。
【００２２】
［ＤＶＤプレーヤ１０の構成］
ＤＶＤプレーヤ１０は、再生部１１と、ＨＤＭＩ送信部１３と、制御部１４と、操作表示部１５と、メモリ１６と、出力端子１７と、リモコン受信部１８とを備える。
【００２３】
再生部１１は、ＤＶＤディスク（以下、単にディスクという。）に記録されている画像データ（映像データの意味を含む、以下同様。）及び音声データをディスクから読み出して、ＨＤＭＩ送信部１３に供給する。ＨＤＭＩ送信部１３は再生部１１から供給された画像データ及び音声データを、ＨＤＭＩ規格のデータ（以下、ＨＤＭＩデータという。）に変換する。ＨＤＭＩ送信部１３は、ＨＤＭＩデータを出力端子１７を介してＡＶアンプ２０に送信する。
【００２４】
制御部１４は、メモリ１６に格納されているＤＶＤプレーヤ１０の動作プログラムに基づいて、ＤＶＤプレーヤ１０の各部を制御するものであり、例えば、マイコンやＣＰＵ等である。リモコン受信部１８は、リモコン送信機５０から送信されたＤＶＤプレーヤ１０用のリモコン信号を受信して、制御部１４に供給する。制御部１４は、当該リモコン信号に応答して各処理を実行する。
【００２５】
制御部１４は、ＨＤＭＩのＣＥＣラインを介してＡＶアンプ２０の制御部２３に接続され、制御部２３とコマンドを送受信する。制御部１４は、制御部２３からＣＥＣラインを介してベンダーＩＤの要求コマンドを受信すると、ＤＶＤプレーヤ１０のベンダーＩＤをメモリ１６から読み出して、制御部２３にＣＥＣラインを介して送信する。
【００２６】
［ディスプレイ装置４０の構成］
ディスプレイ装置４０は、ＨＤＭＩ受信部４１と、制御部４２と、画像処理部４３と、表示部４４と、メモリ４５と、操作部４６と、入力端子４７と、リモコン受信部４８とを備える。
【００２７】
ＨＤＭＩ受信部４１は、ＡＶアンプ２０から送信されたＨＤＭＩデータを受信して、受信したＨＤＭＩデータから元の画像データを生成し、画像処理部４３に供給する。画像処理部４３は、供給された画像データに対して所定の画像処理を実行し、表示部４４に供給する。表示部４４は、画像処理部４３から画像データが供給され、当該画像データに基づいて画像を表示するものであり、例えば、ＬＣＤまたはＣＲＴ等である。
【００２８】
制御部４２は、メモリ４５に格納されたＴＶ受像機４０の動作プログラムに基づいて、ＴＶ受像機４０の各部を制御するものであり、例えば、マイコンやＣＰＵ等である。リモコン受信部４８は、リモコン送信機５０から送信されたＴＶ受像機用のリモコン信号を受信し、制御部４２に供給する。制御部４２は、当該リモコン信号に応じて各処理を実行する。
【００２９】
制御部４２は、ＨＤＭＩのＣＥＣラインを介してＡＶアンプ２０の制御部２３に接続され、制御部２３とコマンドを送受信する。制御部４２は、制御部２３からＣＥＣラインを介してベンダーＩＤの要求コマンドを受信すると、ＴＶ受像機４０のベンダーＩＤをメモリ４５から読み出して、制御部２３にＣＥＣラインを介して送信する。
【００３０】
［ＡＶアンプの構成］
ＡＶアンプ２０は、ＨＤＭＩ受信部２１と、ＨＤＭＩ送信部２２と、制御部２３と、画像処理部２４と、音声処理部２５と、メモリ２６と、入力端子２７ａと、出力端子２７ｂと、操作部２８と、表示部２９と、リモコン受信部３０とを備える。
【００３１】
ＨＤＭＩ受信部２１は、ＤＶＤプレーヤ１０から供給されたＨＤＭＩデータを受信して、受信したＨＤＭＩデータから元の画像データ（ＨＤＭＩ変換前の画像データ）を生成して、画像処理部２４に供給する。また、ＨＤＭＩ受信部２１は、受信したＨＤＭＩデータから元の音声データを生成して、音声処理部２５に供給する。
【００３２】
画像処理部２４は、ＨＤＭＩ受信部２１から供給された画像データに所定の画像処理を実行し、ＨＤＭＩ送信部２２に出力する。ＨＤＭＩ送信部２２は、画像処理部２４から供給された画像データをＨＤＭＩデータに変換する。ＨＤＭＩ送信部２２は、変換したＨＤＭＩデータを、出力端子２７ｂを介して、ＴＶ受像機４０に送信する。
【００３３】
音声処理部２５は、ＨＤＭＩ受信部２１から供給された音声データに所定の音声処理（デコード、遅延処理、イコライザ処理、Ｄ／Ａ変換処理、音量調整処理、増幅処理等）を実行し、外部に接続されたスピーカー６０に音声信号を供給する。
【００３４】
制御部２３は、メモリ２６に記憶されているＡＶアンプ２０の動作プログラムに基づいて、ＡＶアンプ２０の各部を制御するものであり、例えば、マイコンやＣＰＵ等である。制御部２３は、ＨＤＭＩのＣＥＣラインを介してＤＶＤプレーヤ１０の制御部１４に接続され、制御部１４とコマンドを送受信する。制御部２３は、ＣＥＣラインを介してディスプレイ装置４０の制御部４２に接続され、制御部４２とコマンドを送受信する。
【００３５】
操作部２８は、ユーザ操作が入力されるものであり、ＡＶアンプ２０の筐体に設けられた操作ボタン等である。操作部２８は、例えば、メーカー番号表示指示を入力するためのメーカー番号表示ボタンを含む。表示部２９は、ＤＶＤプレーヤ１０及び／又はＴＶ受像機４０のメーカー番号を表示するものであり、ＬＣＤやＦＬ管等である。リモコン受信部３０は、リモコン送信機５０から送信されたＡＶアンプ２０用のリモコン信号を受信して、制御部２３に供給する。制御部２３は、当該リモコン信号に応じて各処理を実行する。
【００３６】
ここで、ＡＶアンプ２０に付属されているリモコン送信機５０について説明する。リモコン送信機５０は、制御部５１と、操作部５２と、メモリ５３と、リモコン送信部５４とを備える。
【００３７】
操作部５２は、ＡＶアンプ２０用の操作ボタンと、ＤＶＤプレーヤ１０用の操作ボタンと、ＴＶ受像機４０用の操作ボタンとを含む。ユーザ操作によってＡＶアンプ１０用の操作ボタンが操作されると、対応するＡＶアンプ１０用のリモコンコードがメモリ５３から読み出されて、リモコン送信部５４を介して出力される。ＡＶアンプ２０のリモコン信号受信部３０がＡＶアンプ２０用のリモコン信号を受信すると、ＡＶアンプ２０はリモコン信号に応じた処理を実行する。
【００３８】
ユーザ操作によってＴＶ受像機４０用の操作ボタンが操作されると、対応するＴＶ受像機４０用のリモコン信号がメモリ５３から読み出されて、リモコン送信部５４を介して出力される。ＴＶ受像機４０のリモコン信号受信部４８がＴＶ受像機４０用のリモコン信号を受信すると、ＴＶ受像機４０はリモコン信号に応じた処理を実行する。ＤＶＤプレーヤ１０についても同様である。
【００３９】
リモコン送信機５０は、メモリ５３に、図２に示すＴＶ受像機用リモコンコードテーブルを格納している。ＴＶ受像機用リモコンコードテーブルには、ＴＶ受像機のメーカー番号に対応付けて、当該メーカー番号で特定されるＴＶ受像機を制御するためのリモコンコードが格納されている。つまり、当該リモコンコードには、操作部５２の複数の操作ボタンに対応する複数のリモコンコードが登録されている。ユーザ操作に応じて、１つのメーカー番号が選択されて登録されると、登録されたメーカー番号に対応するリモコンコードがメモリ５３から読み出されて、送信されるようになる。つまり、ＴＶ受像機４０用の操作ボタンが操作されると、ＴＶ受像機に対して登録されたメーカー番号に対応するリモコンコードがメモリ５３から読み出されて、送信される。なお、メーカー番号を登録するとは、メモリ５３に、選択されたメーカー番号を記憶することをいう。
【００４０】
同様に、図示しないが、リモコン送信機５０は、メモリ５３にＤＶＤプレーヤ用リモコンコードテーブルを格納しており、ユーザ操作に応じて、１つのメーカー番号が選択されて登録されると、登録されたメーカー番号に対応するリモコンコードがメモリ５３から読み出されて、送信されるようになる。
【００４１】
ＡＶアンプ２０の説明に戻り、メモリ２６には、図３に示すＴＶ受像機用メーカー番号テーブルが格納されている。ＴＶ受像機用メーカー番号テーブルは、通し番号であるインデックスｎに対応付けて、メーカー名と、ベンダーＩＤと、メーカー番号とがそれぞれ関連付けて登録されている。ベンダーＩＤは、電子機器の製造者や販売者を表す識別情報（第１識別情報）であり、ＨＤＭＩ規格に準拠した電子機器の各メーカーにおいて共通で使用されている識別情報である。一方、メーカー番号は、製造者や販売者を表す識別番号（第２識別情報）であり、ＡＶアンプ２０の製造者によって、リモコン送信機５０にどのリモコンコードを出力するかを登録するために付与された識別情報である。同様に、図示しないが、メモリ２６には、ＤＶＤプレーヤ用メーカー番号テーブルが格納されている。
【００４２】
ＡＶアンプ２０の制御部２３は、ＴＶ受像機４０の制御部４２にＣＥＣラインを介してベンダーＩＤを要求するコマンドを送信する。制御部２３は、ＴＶ受像機４０の制御部４２からベンダーＩＤを受信すると、ＴＶ受像機用メーカー番号テーブルを参照し、受信したベンダーＩＤに関連付けられたメーカー番号を特定し、特定したメーカー番号を表示部２９に表示させる（又は、メーカー番号を含むＯＳＤ画面をＴＶ受像機４０に送信し、ＴＶ受像機４０の表示部４４にメーカー番号を表示させてもよい）。ユーザは、表示部２９に表示されたＴＶ受像機４０のメーカー番号を見ながら、リモコン送信機５０にＴＶ受像機４０のメーカー番号を入力することにより、ＡＶアンプ２０の取扱説明書を見ることなく、ＴＶ受像機４０のメーカー番号をリモコン送信機５０に登録することができる。
【００４３】
制御部２３は、ＤＶＤプレーヤ１０の制御部１４にＣＥＣラインを介してベンダーＩＤを要求するコマンドを送信する。制御部２３は、ＤＶＤプレーヤ１０の制御部４２からベンダーＩＤを受信すると、ＤＶＤプレーヤ用メーカー番号テーブルを参照し、受信したベンダーＩＤに対応付けられたメーカー番号を特定し、特定したメーカー番号を表示部２９に表示させる。ユーザは、表示部２９に表示されたＤＶＤプレーヤ１０のメーカー番号を見ながら、リモコン送信機５０にＤＶＤプレーヤ１０のメーカー番号を入力することにより、ＡＶアンプ２０の取扱説明書を見ることなく、ＤＶＤプレーヤ１０のメーカー番号をリモコン送信機５０に登録することができる。
【００４４】
以下、本発明の動作を説明する。本例では、ＴＶ受像機４０のメーカー番号をリモコン送信機５０に登録する場合を説明するが、ＤＶＤプレーヤ１０のメーカー番号を登録する場合も同様である。図４に示すように、ＡＶアンプ２０の制御部２３は、ユーザ操作によってメーカー番号表示指示が入力されたか否かを判断している（Ｓ１）。ユーザが操作部２８のメーカー番号表示ボタンを操作（押下）することによって、メーカー番号表示指示が入力された場合（Ｓ１でＹＥＳ）、制御部２３は、ＣＥＣラインを介して、ＴＶ受像機４０の制御部４２にベンダーＩＤの要求コマンドを送信する（Ｓ２）。
【００４５】
ＴＶ受像機４０の制御部４２は、ＡＶアンプ２０の制御部２３からベンダーＩＤの要求コマンドを受信すると、これに応答して、メモリ４５からＴＶ受像機４０のベンダーＩＤを読み出して、ＣＥＣラインを介して、ＡＶアンプ２０の制御部２３に送信する（Ｓ１１）。ここでは、ＴＶ受像機４０のベンダーＩＤは、「６７８９ＡＢ」である。
【００４６】
ＡＶアンプ２０の制御部２３は、ＴＶ受像機４０のベンダーＩＤを、ＣＥＣラインを介してＴＶ受像機４０の制御部４３から取得する（Ｓ２）。制御部２３は、取得したＴＶ受像機４０のベンダーＩＤを、変数ＩＤｍに設定する（Ｓ３）。制御部２３は、ＴＶ受像機用メーカー番号テーブルを参照し、取得したベンダーＩＤに対応するメーカー番号を特定し、表示部２９に表示させる（Ｓ４）。
【００４７】
Ｓ４の詳細を図５を参照して説明する。制御部２３は、ＴＶ受像機用メーカー番号テーブルのインデックスｎを示す変数ｉを１に初期化する（Ｓ２１）。制御部２３は、ＴＶ受像機用メーカー番号テーブルにおけるインデックスが変数ｉに対応するベンダーＩＤを特定し、変数ＩＤｔに設定する（Ｓ２２）。ここでは、インデックス１に対応するベンダーＩＤ「０１２３４５」が特定され、変数ＩＤｔに設定される。
【００４８】
制御部２３は、変数ＩＤｍが変数ＩＤｔと等しいか否かを判断する（Ｓ２３）。ここでは、変数ＩＤｍは「６７８９ＡＢ」であり、変数ＩＤｔは「０１２３４５」であるので、変数ＩＤｍが変数ＩＤｔと異なると判断される（Ｓ２３でＮＯ）。制御部２３は、変数ｉを１増加させ（Ｓ２５）、変数ｉがＴＶ受像機用メーカー番号テーブルにおけるインデックスｉの最大値ｎ＝６よりも大きいか否かを判断する（Ｓ２６）。変数ｉがｎ＝６よりも大きい場合（Ｓ２６でＹＥＳ）、処理を終了する。
【００４９】
ここでは、インデックスｉは１＋１＝２に設定され（Ｓ２５）、変数ｉ＝２はｎ＝６以下であると判断されるので（Ｓ２６でＮＯ）、Ｓ２２に戻る。制御部２３は、インデックス２のベンダーＩＤ「６７８９ＡＢ」を変数ＩＤｔに設定する（Ｓ２２）。従って、変数ＩＤｍは変数ＩＤｔと等しいと判断され（Ｓ２３でＹＥＳ）、制御部２３は、ＴＶ受像機用メーカー番号テーブルにおけるインデックスｉのメーカー番号をＴＶ受像機のメーカー番号であると特定し、当該メーカー番号を表示部２９に表示させる（Ｓ２４）。ここでは、インデックス２のメーカー番号「０２００１」が特定され、表示部２９に表示される。このとき、ベンダーＩＤはＴＶ受像機４０から取得したものであるので、制御部２３は、表示したメーカー番号がＴＶ受像機４０のメーカー番号である旨も表示する。つまり、製品種別（ＴＶ受像機であるか、又は、ＤＶＤプレーヤであるかの情報）は、ＴＶ受像機４０からＣＥＣラインを介して取得する、又は、ＴＶ受像機から取得したＥＤＩＤに含まれている製品種別を参照するとよい。
【００５０】
ユーザは、表示部２９に表示されたメーカー番号「０２００１」をリモコン送信機５０にＴＶ受像機４０のメーカー番号として入力する。リモコン送信機５０の制御部５１は、入力されたメーカー番号「０２００１」をＴＶ受像機４０のメーカー番号として登録する。従って、ユーザ操作によって、リモコン送信機５０のＴＶ受像機４０用の操作ボタンが操作された場合、制御部５１は、メーカー番号「０２００１」に対応するＴＶ受像機のリモコンコードをメモリ５３から読み出して、リモコン送信部５４を介して出力する。
【００５１】
以上のように、ユーザは、ＡＶアンプ２０の取扱説明書を見る必要なく、ＡＶアンプ２０のメーカー番号表示ボタンを操作するだけで、ＴＶ受像機のメーカー番号を知ることができ、リモコン送信機５０にメーカー番号を登録することができる。
【００５２】
次に、本発明の別の好ましい実施形態について説明する。本例では、ＡＶアンプ２０には、メーカー番号表示ボタンの代わりに、メーカー番号登録ボタンが設けられている。メーカー番号登録ボタンが操作されたとき、制御部２３にメーカー番号登録指示が入力される。
【００５３】
図６は、本例の処理を示すフローチャートであり、図５と比較して、Ｓ２４がＳ３１に変更されている。ＡＶアンプ２０の制御部２３は、上記と同様に、ＴＶ受像機４０（又はＤＶＤプレーヤ１０、以下同様。）の制御部４３からベンダーＩＤを取得すると、ベンダーＩＤに関連付けられているメーカー番号を、ＴＶ受像機用メーカー番号テーブルを参照して特定し、表示部２９に表示させる代わりに（又は表示部２９に表示すると共に）、特定したメーカー番号と製品種別とを所定の通信方式によってリモコン送信機５０に送信する。
【００５４】
製品種別は、メーカー番号が、ＴＶ受像機のものであるか、又は、ＤＶＤプレーヤのものであるかを示す情報である。メーカー番号が、ＴＶ受像機と、ＤＶＤプレーヤとによって重複しない場合には、製品種別をリモコン送信機５０に送信する必要がない。リモコン送信機５０が、メーカー番号を参照することにより、ＴＶ受像機のメーカー番号として登録すべきか、ＤＶＤプレーヤのメーカー番号として登録すべきかを判別することができるからである。なお、製品種別は、ＴＶ受像機４０からＣＥＣラインを介して取得する、又は、ＴＶ受像機から取得したＥＤＩＤに含まれている製品種別を参照するとよい。
【００５５】
所定の通信方式は、例えば、赤外線、Bluetooth、又は、ＬＡＮ等の任意のものが採用される。従って、ＡＶアンプ２０にはこれらいずれかの通信方式に対応する送信部が設けられ、リモコン送信機５０にはこれらいずれかの通信方式に対応する受信部が設けられている。
【００５６】
図７に示すように、リモコン送信機５０の制御部５１は、ＡＶアンプ２０からメーカー番号及び製品種別を受信すると（Ｓ４１でＹＥＳ）、製品種別に対応するメーカー番号として、受信したメーカー番号を登録する（Ｓ４２）。例えば、受信した製品種別がＴＶ受像機であり、メーカー番号が「０２００１」である場合には、制御部５１は、ＴＶ受像機のメーカー番号として、受信したメーカー番号「０２００１」を登録する。従って、本例においては、ユーザはＡＶアンプ２０のメーカー番号登録ボタンを操作するだけで、リモコン送信機５０にメーカー番号を自動的に登録することができる。
【００５７】
次に、本発明のさらに別の好ましい実施形態を説明する。本例では、図８に示すように、同一のメーカー（ベンダーＩＤ）に対して複数のメーカー番号が付与されている。例えば、ＴＶ受像機４０について、メーカーＡには、３つのメーカー番号「０１００１」、「０１００２」、「０１００３」が設けられている。これら３つのメーカー番号に対応してメーカー名が便宜上「Ａ−１」、「Ａ−２」、「Ａ−３」とされている。これら３つのメーカー番号に対応するベンダーＩＤはいずれも「０１２３４５」である。従って、ＡＶアンプ２０は、ＴＶ受像機４０からベンダーＩＤ「０１２３４５」を取得した場合、必要に応じて最大３つのベンダーＩＤを表示部２９に表示させる。
【００５８】
図９は本例の処理を示すフローチャートであり、図５に対してＳ５１が追加されている。ＡＶアンプ２０の制御部２３は、ＴＶ受像機４０の制御部４３からベンダーＩＤ「０１２３４５」を取得して、変数ＩＤｍに設定する（図４のＳ３）。制御部２３は、インデックス１のベンダーＩＤ「０１２３４５」を変数ＩＤｔに設定し（Ｓ２２）、変数ＩＤｍ＝変数ＩＤｔであると判断し（Ｓ２３でＹＥＳ）、インデックス１のメーカー番号「０１００１」を表示部２９に表示させる（Ｓ２４）。ユーザは、表示されたメーカー番号「０１００１」が正しいと判断すると、リモコン送信機５０にメーカー番号「０１００１」を入力し、登録する。
【００５９】
一方、ユーザは、表示されたメーカー番号「０１００１」が間違いであると判断すると、再度メーカー番号表示ボタンを操作する。ＡＶアンプ２０の制御部２３は、メーカー番号表示指示が再度入力されたか否かを判断しており（Ｓ５１）、入力された場合（Ｓ５１でＹＥＳ）、変数ｉを１増加させ２とし（Ｓ２５）、Ｓ２２に戻る。制御部２３は、インデックス２のベンダーＩＤ「０１２３４５」を変数ＩＤｔに設定し（Ｓ２２）、変数ＩＤｍ＝変数ＩＤｔであると判断し（Ｓ２３でＹＥＳ）、インデックス２のメーカー番号「０１００２」を表示部２９に表示させる（Ｓ２４）。ユーザは、表示されたメーカー番号「０１００２」が正しいと判断すると、リモコン送信機５０にメーカー番号「０１００２」を入力し、登録する。
【００６０】
同様に、ユーザは、表示されたメーカー番号「０１００２」が間違いであると判断すると、再度メーカー番号表示ボタンを操作する。従って、表示部２９には、メーカー番号「０１００３」が表示され、表示されたメーカー番号「０１００３」が正しいと判断すると、リモコン送信機５０にメーカー番号「０１００３」を入力し、登録する。
【００６１】
以上のように、同一メーカーに複数のメーカー番号が付されている場合には、必要に応じて当該メーカーのメーカー番号の全てを表示することができる。上記のように、メーカー番号表示指示が入力される度に１つずつ順番にメーカー番号を表示するのではなく、一度に全てのメーカー番号を表示してもよい。
【００６２】
次に、本発明のさらに別の好ましい実施形態を説明する。本例では、先の実施形態と同様に、図８に示すように、同一のメーカーに対して複数のメーカー番号が付与されている。ＡＶアンプ２０は、先の実施形態と同様に、取得したベンダーＩＤに基づいて、対応する複数のメーカー番号を特定する。そして、図１０に示すように、ＡＶアンプ２０は、メーカー番号登録画面を表示部２９またはＴＶ受像器４０に表示させる。図１０では、メーカーＡのメーカー番号として０１００１、０１００２、０１００３が表示され、ユーザ操作に応じてカーソルが移動されることによって、１つのメーカー番号が選択される。同様に、製品種別として、ＴＶ、ＤＶＤ、ＧＡＭＥが表示されており、ユーザ操作に応じてカーソルが移動されることによって、１つの製品種別が選択される。なお、製品種別は、ＴＶ受像機４０から取得した製品種別を自動的に選択するようにしてもよい。１つのメーカー番号、および、１つの製品種別が選択されると、ＡＶアンプ２０は、リモコン送信機５０に所定の通信方式でメーカー番号および製品種別を送信する。リモコン送信機５０は、図７の処理と同様に、受信した製品種別に対応するメーカー番号として、受信したメーカー番号を登録する。
【００６３】
次に、本発明のさらに別の好ましい実施形態を説明する。本例では、上記いずれかの実施形態において、ＡＶアンプ２０は、ＨＤＭＩのＣＥＣラインを介してＴＶ受像機４０やＤＶＤプレーヤ１０からベンダーＩＤを取得する代わりに、ＭＡＣアドレスに含まれているベンダーＩＤを利用する。つまり、ＤＶＤプレーヤ１０、ＡＶアンプ２０およびＴＶ受像機４０が、ＬＡＮインターフェースを備え、ＬＡＮ等の任意のネットワーク経由で通信することができ、ＡＶアンプ２０は、ＬＡＮ経由で接続されているＤＶＤプレーヤ１０およびＴＶ受像機４０からＭＡＣアドレスを取得する。
【００６４】
ＭＡＣアドレス（Media Access
Control address）は、ネットワーク上で、各ノードを識別するために設定されているＬＡＮカードなどのネットワーク機器のハードウェアに一意に割り当てられる物理アドレスである。イーサネット（登録商標）の場合、４８ビットの符号である。
ＭＡＣアドレスの表現には、04-A3-43-5F-43-23 や 32:61:3C:4E:B6:05 といったオクテット表現を用いる（"04","5F"や"B6"が、それぞれオクテットである）。
このＭＡＣアドレスのうち、最初の２４ビット04-A3-43がベンダーＩＤ、次の８ビット5Fが機種ＩＤ、最後の１６ビット43-23がシリアルＩＤとなっている。
【００６５】
ＭＡＣアドレスに含まれるベンダーＩＤを使用することにより、ＬＡＮに接続されている全ての機器についてベンダーＩＤを取得することができる。なお、ＭＡＣアドレスからベンダーＩＤを取得すること以外は上記の各実施形態と同じであるので、説明を援用する。
【００６６】
以上、本発明の好ましい実施形態を説明したが、本発明はこれらの実施形態には限定されない。ＡＶアンプ、ＤＶＤプレーヤ、ＴＶ受像機、又は、リモコン送信機の上記動作をコンピュータに実行させるためのプログラムおよびこれを記録した記録媒体という形態で提供されてもよい。また、第１の電子機器が、ＴＶ受像機４０又はＤＶＤプレーヤ１０であり、第２の電子機器がＡＶアンプ２０であってもよい。
【産業上の利用可能性】
【００６７】
本発明は、ＡＶアンプ、ＤＶＤプレーヤ、ＴＶ受像機、及び、リモコン送信機等に好適に採用され得る。
【符号の説明】
【００６８】
１０            ＤＶＤプレーヤ
２０            ＡＶアンプ
４０            ＴＶ受像機
５０            リモコン送信機
【図１】
2010268442.tif 000003
【図２】
2010268442.tif 000004
【図３】
2010268442.tif 000005
【図４】
2010268442.tif 000006
【図５】
2010268442.tif 000007
【図６】
2010268442.tif 000008
【図７】
2010268442.tif 000009
【図８】
2010268442.tif 000010
【図９】
2010268442.tif 000011
【図１０】
2010268442.tif 000012